(57)【特許請求の範囲】
【請求項１】
筐体と、
前記筐体に設けられた電池収容部と、
前記電池収容部の内壁部に設けられたカード収容部と、
前記電池収容部の底面に設けられた凸部と、を備え、
前記底面から前記凸部の頂部までの突出寸法が、前記底面から前記カード収容部の挿脱開口下端縁までの収容高さ寸法以下である電子機器。
【発明の詳細な説明】
【技術分野】
【０００１】
本発明は、電池収容部の内壁部にカード収容部の挿脱開口を有する電子機器に関するものである。
【背景技術】
【０００２】
従来より、電子機器である携帯端末では、ＳＩＭカードやメモリカードが、筐体内部に収容されている（例えば、特許文献１参照）。
図８に示すように、特許文献１に記載の携帯端末装置１００では、筐体１０１にバッテリー収容部１０２が設けられている。バッテリー収容部１０２は、携帯端末装置１００に対して電力を供給するバッテリー（図示省略）を収容し固定し、バッテリーはバッテリーカバー（図示省略）によりカバーされる。
【０００３】
バッテリー収容部１０２には、ＳＩＭカード収容部１０３が設けられている。ＳＩＭカード収容部１０３は、基板１０４に固定され電気的に接続されているＳＩＭコネクター１０５を有し、ＳＩＭ（Ｓｕｂｓｃｒｉｂｅｒ Ｉｄｅｎｔｉｔｙ Ｍｏｄｕｌｅ）カード（図示省略）を収容する。ＳＩＭカード収容部１０３では、ＳＩＭコネクター１０５の端子部とＳＩＭカードの端子部が電気的に接続する。
そして、ＳＩＭカード収容部１０３にＳＩＭロック１０６を設けた。ＳＩＭロック１０６は、ＳＩＭカード収容部１０３に、取り付けられる板金１０７で構成され、板金１０７の中央部に複数の板金バネ１０８を有する。
これにより、ＳＩＭカードは、ＳＩＭカード収容部１０３への収容時にＳＩＭコネクター１０５の端子部１０５Ａと板金１０７の板金バネ１０８との間に挟まれて固定される。
【先行技術文献】
【特許文献】
【０００４】
【特許文献１】特許第４５３９４９０号公報（第１図）
【発明の概要】
【発明が解決しようとする課題】
【０００５】
しかしながら、近年、携帯端末の薄型化を図るために、カード収容部をバッテリー収容部の内壁部に設けることが行われている。
この場合、回路基板との位置関係から、カードをカード収容部に挿入する開口が、電池収容部の底面より高い位置に設けられているので、カードを少し持ち上げた状態で開口に挿入しなければならず挿入しづらいという問題があった。
特に、カードが小さいため、指で持って挿入するのが困難であった。
【０００６】
本発明は、従来の問題を解決するためになされたもので、電池収容部に設けられたカード収容部に、容易にカードを収容できる電子機器を提供することを目的とする。
【課題を解決するための手段】
【０００７】
本発明の電子機器は、筐体と、前記筐体に設けられた電池収容部と、前記電池収容部の内壁部に設けられたカード収容部と、前記電池収容部の底面に設けられた凸部と、を備え、前記底面から前記凸部の頂部までの突出寸法が、前記底面から前記カード収容部の挿脱開口下端縁までの収容高さ寸法以下であるものである。
【発明の効果】
【０００８】
本発明は、電池収容部の内壁部に設けられたカード収容部の前方の電池収容部の底面に凸部を設け、凸部の突出寸法を、底面からカード収容部の挿脱開口の下端縁までの高さ以下とした。このため、カードをカード収容部に収容する際に、カードの先端を持ち上げることなく、凸部に沿ってカード収容部の挿脱開口に挿入することができるので、カード収容部に容易にカードを収容できるという効果を有する電子機器を提供できる。
【図面の簡単な説明】
【０００９】
【図１】本発明に係る実施形態の電子機器である携帯端末の斜視図
【図２】電池収容部およびカード収容部の斜視図
【図３】図２中ＩＩＩ−ＩＩＩ位置の断面図
【図４】凸部の高さ寸法と挿脱開口の高さ寸法とシート部材の厚さとの関係を示す概略断面図
【図５】キー装置と凸部との位置関係を示す平面図
【図６】凸部の変形例を示す断面図
【図７】ＳＩＭカードの収容状態を示す平面図
【図８】従来の携帯端末装置であり、（Ａ）はＳＩＭロックを外した状態を示す斜視図であり、（Ｂ）はＳＩＭロックを取り付けた状態を示す斜視図
【発明を実施するための形態】
【００１０】
以下、本発明に係る実施形態の電子機器について、図面を用いて説明する。
図１に示すように、本発明に係る実施形態の電子機器である携帯端末１０は、略矩形箱状に形成された第１筐体（筐体）２０と、略矩形箱状に形成された第２筐体１１と、第１筐体２０および第２筐体１１をスライド自在あるいは回動自在に連結する連結部（図示省略）とを有する。
従って、この携帯端末１０は、連結部を中心として相対的に開閉することにより第１筐体２０および第２筐体１１が互いに重なり合う携帯状態（図１参照）と、連結部を介して開いた展開状態とを取り得る。
【００１１】
第１筐体２０は、下面（図１において下面）が開口した薄型矩形箱状のケース２１と、ケース２１の開口を塞ぐカバー２２を有し、カバー２２の表面（図１において下面）には操作キー等を備えた操作部が設けられている。
また、第２筐体１１は矩形箱状をしており、表面（図１において下面）には、液晶表示板からなる表示部が設けられている。
【００１２】
第１筐体２０のケース２１の底面（図１においては上面）２１１における長手方向の一方の側（後側）には、電池パック２３を収容する電池収容部２４が設けられている。電池収容部２４には、外側（ケース２１の外部側）に第１蓋部材２５が設けられ、第１蓋部材２５の内側（ケース２１の内部側）に第２蓋部材２６が設けられている。
第１蓋部材２５は、第１筐体２０の長手方向にスライドさせることにより、着脱可能に取り付けられる。
【００１３】
第２蓋部材２６は、電池収容部２４を防水して電池パック２３を水から保護するための部材であり、ヒンジ部１２を介して第１筐体２０に対して回動可能に設けられている。第２蓋部材２６は矩形板状の部材であり、外周縁に沿ってパッキン２７が取り付けられている。パッキン２７は電池収容部２４の開口を全周にわたって密閉する。
【００１４】
図２に示すように、電池収容部２４の前側の内壁部２４１における幅方向端部寄りには、ＳＤカード等のカード１３を収容するカード収容部３０が設けられている。カード収容部３０にカード１３を出し入れする挿脱開口３１は、カード収容部３０の後側に開口している。挿脱開口３１に隣接して、電池収容部２４の前側の内壁部２４１における幅方向中央側には、電池パック２３を電気的に接続するための複数の接続端子３２が電池収容部に突出して設けられている。
また、電池収容部の底面２４２には、部品名称や製造年月日等の情報を記載したシート部材２８が、貼設されている。
【００１５】
図２および図３に示すように、電池収容部２４の底面２４２におけるカード収容部３０の挿脱開口３１の後側（電池収容部２４側）には、一対の凸部３３、３３が設けられている。
図４に示すように、凸部３３は、底面２４２から凸部３３の頂部までの突出寸法Ｈ１が、底面２４２からカード収容部３０の挿脱開口３１下端縁までの収容高さ寸法Ｈ２以下となるように設定する。さらに、凸部３３の高さは、シート部材２８の厚さ寸法Ｔ以上とする。
すなわち、Ｈ２＞Ｈ１＞Ｔ  に設定する。
【００１６】
図２に示すように、凸部３３は挿脱開口３１の幅方向両端部に対応して設けられており、例えば、半球状とすることができる。あるいは、少なくとも挿脱開口３１と反対側部分（すなわち、後側半分）を球状とすることができる。
なお、凸部３３は、電池収容部２４の底面２４２に貼設されているシート部材２８に干渉しない位置に設ける。
【００１７】
次に、カード１３の挿入方法について説明する。
図２に示すように、カード１３を電池収容部２４の底面２４２に載置し、カード１３の側面に設けられているガイド部１３１、１３２を、電池収容部２４の側面２４３に接触させる。この状態で、指でカード１３を押圧して、前方（図２中矢印Ａ方向）へスライドさせる。
このとき、カード１３の先端部は、凸部３３により上方へ持ち上げられ（図４参照）、先端部がカード収容部３０の挿脱開口３１へ向かう。
さらに、カード１３を前方へスライドさせて、カード１３を挿脱開口３１からカード収容部３０の内部に挿入する。
【００１８】
以上、説明した本発明に係る実施形態の電子機器である携帯端末１０によれば、電池収容部２４の内壁部２４１に設けられたカード収容部３０の前方の電池収容部２４の底面２４２に凸部３３を設け、凸部３３の突出寸法Ｈ１を、底面２４２からカード収容部３０の挿脱開口３１の下端縁までの高さＨ２以下とした。
このため、カード１３をカード収容部３０に収容する際に、カード１３の先端を持ち上げることなく、凸部３３に沿ってカード収容部３０の挿脱開口３１に挿入することができるので、容易にカード１３をカード収容部３０に収容できる。
【００１９】
また、凸部３３が、電池収容部２４の底面２４２に貼設されているシート部材２８に干渉しない位置に設けられているので、所定の高さを確保するとともに、カード１３が滑りにくくなるのを防止できる。
【００２０】
また、凸部３３の高さは、シート部材２８の厚さ寸法Ｔ以上とすることにより、カード１３を挿脱開口３１から取り出す際に、カード１３がシート部材２８の端部に引っかかるのを防止でき、取り出しやすくすることができる。
【００２１】
また、一対の凸部３３、３３を、挿脱開口３１の幅方向両端部に対応して分けて設けた。このため、図５に示すように、第１筐体２０における電池収容部２４とは反対側面にキー装置３４を設けた場合に、キー装置３４のキーフラム３５と干渉しない位置を選択して設けることができる。
【００２２】
なお、本発明の電子機器は、前述した実施形態に限定されるものでなく、適宜な変形，改良等が可能である。
例えば、前述した実施形態においては、凸部３３を半球状に設けた場合を例示したが、図６に示すように、挿脱開口３１に向かう傾斜面３３１を設けることもできる。
また、凸部３３を挿脱開口３１の幅方向両端部に対応して一対設けた場合を例示したが、挿脱開口３１の幅方向に長い１個の凸部とすることも可能である。この場合には、例えば円柱を長手方向に割った形状とすることができる。
【００２３】
また、前述した実施形態では、ＳＤカード等のメモリカードについて例示したが、図７に示すように、電池収容部２４の左側端部に収容するＳＩＭカード１３Ｂについても、同様に適用できる。すなわち、カード収容部３０Ｂの挿脱開口３１Ｂの後側（電池収容部２４側）には、一対の凸部３３Ｂ、３３Ｂが設けられている。
これにより、ＳＩＭカード１３Ｂを、容易にカード収容部３０Ｂに収容することができる。また、取り出す際に、シート部材２８に引っ掛かるのを防止できる。
【産業上の利用可能性】
【００２４】
以上のように、本発明にかかる電子機器は、電池収容部の内壁部に設けられたカード収容部の前方の電池収容部の底面に凸部を設け、凸部の突出寸法を、底面からカード収容部の挿脱開口の下端縁までの高さ以下とした。このため、カードをカード収容部に収容する際に、カードの先端を持ち上げることなく、凸部に沿ってカード収容部の挿脱開口に挿入することができるので、カード収容部に容易にカードを収容できるという効果を有し、電池収容部の内壁部にカード収容部の挿脱開口を有する電子機器等として有用である。
【符号の説明】
【００２５】
１０  携帯端末（電子機器）
２０  第１筐体（筐体）
２４  電池収容部
２４１  内壁部
２４２  底面
３０、３０Ｂ  カード収容部
３１、３１Ｂ  挿脱開口
３３、３３Ｂ  凸部
【図１】
0005294429.tif 000002
【図２】
0005294429.tif 000003
【図３】
0005294429.tif 000004
【図４】
0005294429.tif 000005
【図５】
0005294429.tif 000006
【図６】
0005294429.tif 000007
【図７】
0005294429.tif 000008
【図８】
0005294429.tif 000009